(57)【要約】      （修正有）【課題】より一層の高級感を備えた、空気清浄機能付き花器台を提供する。【解決手段】花器２を載置可能な載置台３と、光触媒が担持された光触媒担持フィルター９と、該光触媒担持フィルターに光触媒の光触媒機能を励起する波長の光を照射する光源と、周囲の空気を吸入する吸気機構４と、光触媒の光触媒機能により清浄化された空気を周囲に排出する排気機構を備えて空気清浄機能付き花器台を構成する。【選択図】図１
0003154117.tif 000002
【実用新案登録請求の範囲】
【請求項１】
花器を載置可能な載置台と、光触媒が担持された光触媒担持フィルターと、該光触媒担持フィルターに前記光触媒の光触媒機能を励起する波長の光を照射する光源と、周囲の空気を吸入する吸気機構と、前記光触媒の光触媒機能により清浄化された空気を周囲に排出する排気機構を備えることを特徴とする空気清浄機能付き花器台。
【請求項２】
前記吸気機構が、吸気口とファンからなる、請求項１に記載の空気清浄機能付き花器台。
【請求項３】
前記排気機構が、排気口とファンからなる、請求項１または２に記載の空気清浄機能付き花器台。
【請求項４】
空気を加湿する加湿機構を備える、請求項１〜３のいずれかに記載の空気清浄機能付き花器台。
【請求項５】
前記ファンおよび前記光源に給電する充電可能なバッテリーを備える、請求項１〜４のいずれかに記載の空気清浄機能付き花器台。
【請求項６】
前記バッテリーが、コンセントを介して商用電源から充電可能に構成されている、請求項５に記載の空気清浄機能付き花器台。
【請求項７】
前記バッテリーが、太陽光発電装置から充電可能に構成されている、請求項５または６に記載の空気清浄機能付き花器台。
【請求項８】
前記光触媒担持フィルターが、光触媒が担持された、発泡ガラスからなる粒状の担持体またはセラミックス、グラスウール、スチールウール、金属メッシュ、発泡金属もしくは不織布からなる担持体を用いて構成されている、請求項１〜７のいずれかに記載の空気清浄機能付き花器台。
【請求項９】
前記光触媒が二酸化チタンからなる、請求項１〜８のいずれかに記載の空気清浄機能付き花器台。
【請求項１０】
前記光源が、紫外線を照射可能な光源からなる、請求項１〜９のいずれかに記載の空気清浄機能付き花器台。
【考案の詳細な説明】
【技術分野】
【０００１】
本考案は、花瓶、一輪差し、植木鉢、フラワーベース、水盤等の花器を載置可能な空気清浄機能付き花器台に関する。
【背景技術】
【０００２】
屋内等の限られた空間内での有害成分や臭気発生成分の濃度は極力低減されなければならず、近年、種々の用途に空気清浄機の需要が高まっている。例えば、屋内等においては、アセトアルデヒドやホルムアルデヒド等の有害成分は、少なくとも健康上問題のない濃度以下（例えば、厚生労働省のアセトアルデヒドの室内空気濃度の指針値である０．０３ｐｐｍ以下）に抑えられなければならない。また、臭いなど発生する有機成分による生活環境の空気汚染の改善の要求も高まってきており、このような面でも、室内空気浄化のための空気清浄機の需要が高まっている。
【０００３】
従来から、二酸化チタン等の光触媒が、その光触媒機能により有害成分や臭い発生有機成分等を分解可能であり、空気浄化のために有効であることは、よく知られている。このような光触媒を担持したフィルターを用いた空気清浄機も知られており、また、このような空気清浄機を人造植物の植木鉢内に組み込んだ空気清浄装置も知られている（例えば、特許文献１）。
【先行技術文献】
【特許文献】
【０００４】
【特許文献１】特開２００２−６５８２２号公報
【考案の概要】
【考案が解決しようとする課題】
【０００５】
上記のような空気清浄装置においては、人の目を楽しませるために、観賞用の人造植物を備えた植木鉢が用いられ、これに空気清浄機能が付加されている。このような空気清浄装置を改良し、製品の高級感を高めるためには、人造植物の代わりに生花を用いることが考えられる。
【０００６】
ところが、上記のような空気清浄装置においては、人造植物の代わりに生花を用いることは困難であった。すなわち、生花には通常、所定の頻度で水やりをしなければならないが、植木鉢内に組み込まれた空気清浄機の電気回路に水がかかると、電気回路のショート等の問題が生じるおそれがあるため、空気清浄機に防水性を持たせる必要がある。しかしながら、空気清浄機を防水仕様に構成すれば、空気清浄装置全体のコストアップにつながるという問題があった。
【０００７】
そこで本考案の課題は、上記のような従来装置の改良上の問題点に着目し、より一層の高級感を備えた、空気清浄機能付き製品を提供することにある。
【課題を解決するための手段】
【０００８】
上記課題を解決するために、本考案に係る空気清浄機能付き花器台は、花器を載置可能な載置台と、光触媒が担持された光触媒担持フィルターと、該光触媒担持フィルターに前記光触媒の光触媒機能を励起する波長の光を照射する光源と、周囲の空気を吸入する吸気機構と、前記光触媒の光触媒機能により清浄化された空気を周囲に排出する排気機構を備えることを特徴とするものからなる。
【０００９】
このような本考案に係る空気清浄機能付き花器台によれば、生花等を飾る花瓶等の花器が載置台に載置されることによって、空気を浄化しながら、生花等を鑑賞に供することが可能となる。また、悪臭環境下においては、比較的強い香りを発する生花等を花器に飾ることにより、消臭作用と芳香の付与作用を効率的に行うことができるので、悪臭が生花の香りと混合されて、より不快な臭いに転じることを防止できる。なお、本考案において花器とは、花瓶、一輪差し、植木鉢、フラワーベース、水盤等の生花を飾るための花器のほか、水草等の植物が金魚とともに飾られる金魚鉢のような容器をも広く含む。
【００１０】
本考案に係る空気清浄機能付き花器台において、前記吸気機構が、吸気口とファンからなることが好ましい。また、前記排気機構が、排気口とファンからなることが好ましい。このような吸排気口とファンからなる吸排気機構によって、未清浄空気を導入する空気の流れと清浄化空気を排出する空気の流れをコントロールし、所望の循環気流を形成させることが可能となる。また、ファンは吸気機構と排気機構の双方に設けてもよいが、一つのファンを吸気機構と排気機構とで兼用してもよい。
【００１１】
本考案に係る空気清浄機能付き花器台は、空気を加湿する加湿機構を備えることが好ましい。加湿機構によって空気が加湿されることにより、花器台の配置される室内の乾燥を防止しながら、花器に飾られた生花の葉や花弁の乾燥をも防止することが可能となる。
【００１２】
本考案に係る空気清浄機能付き花器台は、前記ファンおよび前記光源に給電する充電可能なバッテリーを備えることが好ましい。このようなバッテリーを花器台に付設することによって、充電時のみに電源コードを電源に接続すればよく、充電後の使用時には電源コード等を空気清浄機に接続しておく必要がなくなり、コードレス形態とできるので、花器台の設置場所に給電上の制約が無くなり、実用価値が高められる。また、電源コード等の露出の問題が無くなるので、外観が向上し商品価値が高められる。上記バッテリーは、花器台に外付けされている形態としてもよいが、外観上、あるいはバッテリー端子部分の防水上の観点から、花器台に内蔵されている形態とすることが好ましい。いずれの形態にあっても、充電時以外はコードレスとすることにより、設置場所の固定化、外観上の問題を解消可能となる。
【００１３】
本考案に係る空気清浄機能付き花器台において、前記バッテリーが、コンセントを介して商用電源から充電可能に構成されている形態とすることもでき、太陽光発電装置から充電可能に構成されている形態とすることもできる。太陽光発電装置から充電可能な構成を採用した場合には、花器台を窓際やベランダ等に設置することによって、花器台に飾られた生花の生育のために日光を照射しつつ、同時にバッテリーへの充電を行うことが可能となる。
【００１４】
また、前記光触媒担持フィルターの構成としては、とくに限定されないが、例えば、光触媒担持フィルターが、光触媒が担持された発泡ガラスからなる粒状の担持体を用いて構成されている形態を採用することが可能である。このように、光触媒の担持体として一般に使用されているセラミックよりもはるかに安価な発泡ガラスからなる粒状体を用いることにより、花器台の製造コストを低く抑えることが可能である。そして、安価な発泡ガラスからなる粒状の担持体であっても、適切な条件を設定することにより、セラミックフィルターを使用した場合と同等の、場合によってはそれ以上の、優れた光触媒機能を発揮させることが可能になる。したがって、所望の空気清浄化機能を保持しつつ低価格な花器台が実現可能となる。さらに、光触媒の担持体が粒状に形成されていることから、多数の粒状の担持体を保持した触媒体を容易にかつ自由に所望の形状に形成することが可能となる。このようにして、容易に所望の形状の光触媒担持フィルターを形成することができ、全体としてコンパクトな空気清浄機能付き花器台が実現可能となる。
【００１５】
光触媒を光触媒担持フィルターに担持させる方法としては、とくに限定されないが、例えば、光触媒含有コーティング液を用いて光触媒を上記担持体に担持させると、担持体の気孔内までにわたって容易に所望形態に担持させることができるので好ましい。気孔を有する発泡ガラスからなる粒状の担持体への担持の場合には、コーティング時に光触媒含有コーティング液を所定場所に容易に保持させることができ、とくに高温で焼き付ける必要はない。したがって、この場合には、低温焼成タイプの光触媒含有コーティング液を使用でき、そのコーティング液に粒状担持体をディッピングにより浸漬して取り出した後、コーティング液を保持した粒状担持体を低温で加熱、あるいは単に乾燥するだけでよく、極めて簡単にかつ安価に目標とする光触媒粒状担持体が得られる。
【００１６】
また、前記光触媒担持フィルターの構成として、光触媒が担持されたセラミックス、グラスウール、スチールウール、金属メッシュ、発泡金属または不織布からなる担持体のような、多孔性の担持体を用いて構成されている形態を採用することも可能である。例えば、光触媒の担持体として、プラスチックや紙等の有機物を材料とする不織布からなる基体が用いられる場合には、不織布に無機系のアンダーコート剤を塗布した後、浸漬処理に供することによって、光触媒が基体上に確実に担持可能となる。
【００１７】
上記光触媒としては、光触媒機能を発揮できるものであればいずれの触媒も使用可能であるが、価格、入手の容易性、優れた光触媒機能の面から、二酸化チタンを用いることが好ましい。この光触媒を担持させるための二酸化チタン含有コーティング液も容易に入手可能である。
【００１８】
また、上記光源としては、光触媒の光触媒機能を励起する波長の光を照射する光源であれば特に限定されないが、とくに、所定範囲内の波長の紫外線を照射可能な光源を使用できる。このような光源として、例えばブラックライトや蛍光灯を挙げることができる。
【考案の効果】
【００１９】
本考案に係る空気清浄機能付き花器台によれば、空気の浄化を行うと同時に生花を鑑賞に供することができるので、花器台が配置される室内の環境を効果的に向上することが可能となる。また、花器台に充電式バッテリーを組み込むことで使用時のコードレス化が可能となるので、優れた空気清浄機能を保持しつつ実質的に設置場所の制約を無くし、実用価値を大幅に高めることができるとともに、花器台の外観を向上させ、商品価値を大幅に高めることができる。
【図面の簡単な説明】
【００２０】
【図１】本考案の一実施態様に係る空気清浄機能付き花器台を示し、（Ａ）は背面図、（Ｂ）は（Ａ）の下側から見た平面図、（Ｃ）は背面から見た断面図である。
【考案を実施するための形態】
【００２１】
以下に、本考案の望ましい実施の形態について、図面を参照しながら説明する。
図１は、本考案の一実施態様に係る空気清浄機能付き花器台を示しており、（Ａ）は花器を載置台に乗せた状態の背面図、（Ｂ）は（Ａ）の下側から見た平面図、（Ｃ）は背面から見た断面図である。
【００２２】
図１（Ａ）において、花器台１の上面には、花器２を載置するための載置台３が設けられている。花器台１の背面には、吸気口４と、充電式バッテリー５の充電用電力を供給するための入力端子６が設けられている。吸気口４や入力端子６のような、いかにも電気製品らしい部位を背面側のみに集めることで、正面側（図示略）の外観を花器台らしくすっきりとしたデザインで構成することができる。
【００２３】
図１（Ｂ）においては、花器台１を図１（Ａ）の下側から見た平面図が、花器台１の内部構造を説明しやすいように、透視的に示されている。実際には、花器台１の下面は、板状の蓋材で閉じられていてもよい。花器台１の周囲にある空気は、吸気口４とファン７からなる吸気機構によって、吸気口４から花器台１の内部に導入されるが、その際に、吸気口４の近傍に設けられた防塵フィルター８によって、空気中の塵や埃等が捕捉される。このようにして、花器台１内への汚れ付着が防止されている。なお、ファン７は吸気口４とともに、花器台１の周囲の空気を吸入する吸気機構を構成しているが、それと同時に、排気口１２とともに、清浄空気を周囲に排出する排気機構を構成する排気ファンとして兼用されている。
【００２４】
吸気口４から花器台１の内部に導入された空気は、図の矢印で示される経路に沿って、防塵フィルター８を通過した後、光触媒（例えば、二酸化チタン）が担持された光触媒担持フィルター９と、光触媒担持フィルター９に光触媒の光触媒機能を励起する波長の光を照射する光源としての紫外線ランプ１０から構成される空気清浄ユニット１１へ送られる。光触媒担持フィルター９は、例えば前述の如く、光触媒が担持された発泡ガラスからなる多数の粒状の担持体を用いて形成されており、その近傍には、光触媒機能を励起させるための紫外線ランプ１０が配置されている。
【００２５】
図１（Ｃ）において、空気清浄ユニット１１で清浄化された空気は、図の矢印で示される経路に沿って、排気口１２から花器台１の外部へと排出される。光触媒担持フィルター９と紫外線ランプ１０の働きにより、空気清浄ユニット１１内の空気は、ユニット内に滞留している間にもある程度は清浄化されているが、多孔性の光触媒担持フィルター９と接触しながら空気清浄ユニット１１の外部に排出される際に、さらに効果的に清浄化される。
【００２６】
このように構成された空気清浄機能付き花器台１において、充電式バッテリー５からは、外部に露出しない内部配線１３、１４を介して、ファン７と紫外線ランプ１０とに、それぞれ電力が供給される。充電式バッテリー５の充電時には、入力端子６に取り外し可能な電源コード（図示略、場合によってはコンセント付き電源コード）が接続されて、必要な時間だけ充電を行うことができる。したがって、充電時以外は、電源コードは基本的に取り外され、外観上現れないようになっている。
【００２７】
また、充電式バッテリー５を充電するための電源としては、とくに限定されず、商用電源、太陽光発電装置のいずれも使用可能である。花器台１の設置場所の近くに充電用電源がある場合には、そのまま上記電源コードの接続、取り外しを行えばよく、充電用電源が離れた位置にある場合には、長い電源コードを使用するか、花器台１を一時的に充電用電源の近くまで持ち運べばよい。
【００２８】
このような空気清浄機能付き花器台１においては、花器台１の設置場所の固定化の問題や電源コード等の露出のために、外観を損ねて商品価値を低下させるという問題が解消されている。このように、本考案によれば、空気清浄機能を有する電化製品でありながら、観賞用の花器台としても非常に優れた商品価値を有する、空気清浄機能付き花器台が提供可能となる。
【産業上の利用可能性】
【００２９】
本考案に係る空気清浄機能付き花器台は、清浄な空気環境下で人が生花等の植物を鑑賞するために広く用いられる。
【符号の説明】
【００３０】
１  花器台
２  花器
３  載置台
４  吸気口
５  充電式バッテリー
６  入力端子
７  ファン
８  防塵フィルター
９  光触媒担持フィルター
１０  光源としての紫外線ランプ
１１  空気清浄ユニット
１２  排気口
１３、１４  内部配線
【図１】
0003154117.tif 000003